(57)【要約】【課題】  農薬適用表に記載されている農薬が個々の作物やその作物に対応した適用対象（害虫等）に対して適正に使用される方法、システム等を提供する。【解決手段】  農薬適用表の表示方法は、表示部に農薬適用表を表示する工程と、表示部に表示された農薬適用表に含まれる作物名を指示する工程と、農薬適用表の作物名が指示されたとき、作物名に対応する適用対象と使用条件を農薬適用表の中から選択する工程と、（指示された作物名ならびに）選択された適用対象と使用条件を、農薬適用表の中で選択されていない適用対象及び使用条件とは異なる態様で表示部に表示する工程を有する。【選択図】図１
2005258779.tif 000002
【特許請求の範囲】
【請求項１】
表示部に農薬適用表を表示する工程と、
上記表示部に表示された農薬適用表に含まれる作物名を指示する工程と、
上記農薬適用表の作物名が指示されたとき、上記農薬適用表に含まれた、上記作物名に対応する適用対象と使用条件を選択する工程と、
選択された適用対象と使用条件を、上記農薬適用表の中で選択されていない適用対象及び使用条件とは異なる態様で表示部に表示することを特徴とする農薬適用表の表示方法。
【請求項２】
上記指示された作物名を、上記選択された適用対象及び使用条件と同様に上記異なる態様で表示部に表示することを特徴とする請求項１に記載の農薬適用表の表示方法。
【請求項３】
作物名を含む作物名ブロックを縦方向に複数配列した第１のコラムと、上記作物名に対応した農薬の適用対象名を含む適用対象名ブロックを縦方向に複数配列した第２のコラムと、上記作物名と適用対象名に対応した農薬の使用条件を含む使用条件ブロックを縦方向に複数配列した第３のコラムとを備えた農薬適用表を表示するシステム（１）であって、
通信網（３０）を介して通信可能な第１のコンピュータ（１０）と第２のコンピュータ（２０）を含み、
上記第１のコンピュータ（１０）は農薬適用表（６０）を含むファイル（４３）を記憶する第１の記憶部（１７）と、上記第２のコンピュータ（２０）から通信網（３０）を介して受信した要求（４２）に基づいて上記ファイル（４３）を第２のコンピュータ（２０）に送信する第１の制御部（１６）を備えており、
上記第２のコンピュータ（２０）は上記第１のコンピュータ（１０）から受信したファイル（４３）を記憶する第２の記憶部（２７）と、上記第２の記憶部（２７）に記憶されたファイル（４３）に含まれる農薬適用表（６０）を表示する表示部（２２）と、上記表示部（２２）に表示された農薬適用表（６０）に含まれる任意の作物名ブロックを指示可能な指示部（２５）を備えており、
上記ファイル（４３）は、上記第２のコンピュータ（２０）に、
上記表示部（２２）に上記農薬適用表（６０）を表示させる機能（＃３３）と、
上記指示部（２５）で指示された作物名ブロック（Ｙ１〜Ｙ７）を認識する機能（＃３４）と、
上記複数の適用対象名ブロックと上記複数の使用条件ブロックの中から上記認識された作物名ブロックに関連する適用対象名ブロックと使用条件ブロックを選択する機能（＃１２）と、
上記表示部（２２）に表示された農薬適用表（６０）の中で、上記選択された適用対象名ブロックと使用条件ブロックの表示を、選択されていない適用対象名ブロックおよび使用条件ブロックと異なる態様で上記表示部に表示させる機能（＃１３）とを与えることを特徴とする農薬適用表の表示システム。
【請求項４】
上記ファイル（４３）は、上記コンピュータ（２０）に、
上記指示された作物名ブロックを上記選択された適用対象名ブロック及び使用条件ブロックと同様に上記異なる態様で上記表示部（２２）に表示させる機能を与えることを特徴とする請求項３に記載の農薬適用表の表示システム。
【請求項５】
農薬適用表（６０）を表示するコンピュータシステム（１）であって、
上記農薬適用表（６０）は、
作物名を含む作物名ブロックを縦方向に複数配置した作物名コラムと、
適用対象名を含む適用対象名ブロックを縦方向に複数配置した適用対象名コラムと、
農薬使用条件を含む使用条件ブロックを縦方向に複数配置した使用条件コラムを含み、
上記コンピュータシステム（１）は、
上記農薬適用表（６０）を構成するデータ（７１，７２，７３，７４）と、上記複数の作物名ブロックのそれぞれに対応する適用対象名ブロックと使用条件ブロックを関連付けるプログラム（７５）を含むファイル（４３）を記憶する記憶部（２７）と、
上記記憶部（２７）に記憶されたファイル（４３）の農薬適用表（６０）を表示する表示部（２２）と、
上記表示部（２２）に表示された農薬適用表（６０）に含まれる任意の作物名を指示可能な指示部（２５）を備えたコンピュータ（２０）を有し、
上記プログラム（７５）は、上記コンピュータ（２０）に、
上記データ（７１〜７４）に基づいて上記表示部（２２）に上記農薬適用表（６０）を表示させる機能（＃３３）と、
上記指示部（２５）で指示された作物名ブロック（Ｙ１〜Ｙ７）を認識する機能（＃３４）と、
上記複数の適用対象名ブロックと上記複数の使用条件ブロックの中から上記認識された作物名ブロックに関連する適用対象名ブロックと使用条件ブロックを選択する機能（＃１２）と、
上記表示部（２２）に表示された農薬適用表（６０）の中で、上記選択された適用対象名ブロックと使用条件ブロックの表示を、選択されていない適用対象名ブロックおよび使用条件ブロックと異なる態様で上記表示部（２２）に表示させる機能（＃１３）とを与えることを特徴とする農薬適用表の表示システム。
【請求項６】
上記プログラム（７５）は、上記コンピュータ（２０）に、
上記指示された作物名ブロックを上記選択された適用対象名ブロック及び使用条件ブロックと同様に上記異なる態様で上記表示部（２２）に表示させる機能を与えることを特徴とする請求項５に記載の農薬適用表の表示システム。
【請求項７】
コンピュータ（２０）に農薬適用表（６０）を表示させるファイル（４３）であって、
上記農薬適用表（６０）は、
作物名を含む作物名ブロックを縦方向に複数配置した作物名コラムと、
適用対象名を含む適用対象名ブロックを縦方向に複数配置した適用対象名コラムと、
農薬使用条件を含む使用条件ブロックを縦方向に複数配置した使用条件コラムを含み、
上記ファイル（４３）は、
上記農薬適用表（６０）を構成するデータ（７１，７２，７３，７４）と、上記複数の作物名ブロックのそれぞれに対応する適用対象名ブロックと使用条件ブロックを関連付けるプログラム（７５）を含み、
上記プログラム（７５）は、コンピュータ（２０）に、
上記データ（７１〜７４）に基づいて表示部（２２）に上記農薬適用表（６０）を表示させる機能（＃３３）と、
指示部（２５）で指示された作物名ブロック（Ｙ１〜Ｙ７）を認識する機能（＃３４）と、
上記複数の適用対象名ブロックと上記複数の使用条件ブロックの中から上記認識された作物名ブロックに関連する適用対象名ブロックと使用条件ブロックを選択する機能（＃１２）と、
上記表示部（２２）に表示された農薬適用表（６０）の中で、上記選択された適用対象名ブロックと使用条件ブロックの表示を、選択されていない適用対象名ブロックおよび使用条件ブロックと異なる態様で上記表示部に表示させる機能（＃１３）とを与えることを特徴とする農薬適用表の表示ファイル。
【請求項８】
上記プログラム（７５）は、上記コンピュータ（２０）に、
上記指示された作物名ブロックを上記選択された適用対象名ブロック及び使用条件ブロックと同様に上記異なる態様で上記表示部（２２）に表示させる機能を与えることを特徴とする請求項７に記載の農薬適用表の表示ファイル。
【請求項９】
表示部に表を表示する工程と、
上記表示部に表示された表に含まれる第１の表示内容を指示する工程と、
上記第１の表示内容が指示されたとき、上記表に含まれた複数の第２と第３の表示内容のうち、上記第１の表示内容に対応する第２の表示内容と第３の表示内容を選択する工程と、
選択された第２の表示内容と第３の表示内容を、上記表の中で選択されていない第２の表示内容と第３の表示内容とは異なる態様で表示部に表示することを特徴とする表の表示方法。
【請求項１０】
上記指示された第１の表示内容を、上記選択された第２の表示内容及び第３の表示内容と同様に上記異なる態様で表示部に表示することを特徴とする請求項９に記載の表の表示方法。
【請求項１１】
第１の表示内容を含む第１のブロックを縦方向に複数配列した第１のコラムと、上記第１の表示内容に対応した第２の表示内容を含む第２のブロックを縦方向に複数配列した第２のコラムと、上記第１の表示内容と第２の表示内容に対応した第３の表示内容を含む第３のブロックを縦方向に複数配列した第３のコラムとを備えた表を表示するシステム（１）であって、
通信網（３０）を介して通信可能な第１のコンピュータ（１０）と第２のコンピュータ（２０）を含み、
上記第１のコンピュータ（１０）は表（６０）を含むファイル（４３）を記憶する第１の記憶部（１７）と、上記第２のコンピュータ（２０）から通信網（３０）を介して受信した要求（４２）に基づいて上記ファイル（４３）を第２のコンピュータ（２０）に送信する第１の制御部（１６）を備えており、
上記第２のコンピュータ（２０）は上記第１のコンピュータ（１０）から受信したファイル（４３）を記憶する第２の記憶部（２７）と、上記第２の記憶部（２７）に記憶されたファイル（４３）に含まれる表（６０）を表示する表示部（２２）と、上記表示部（２２）に表示された表（６０）に含まれる任意の第１の表示内容を指示可能な指示部（２５）を備えており、
上記ファイル（４３）は、上記第２のコンピュータ（２０）に、
上記表示部（２２）に上記表（６０）を表示させる機能（＃３３）と、
上記指示部（２５）で指示された第１の表示内容（Ｙ１〜Ｙ７）を認識する機能（＃３４）と、
上記複数の第２の表示内容と上記複数の第３の表示内容の中から上記認識された第１の表示内容に関連する第２の表示内容と第３の表示内容を選択する機能（＃１２）と、
上記表示部（２２）に表示された表（６０）の中で、上記選択された第２及び第３の表示内容の表示を、選択されていない第２及び第３の表示内容と異なる態様で上記表示部に表示させる機能（＃１３）とを与えることを特徴とする表示システム。
【請求項１２】
上記ファイル（４３）は、上記コンピュータ（２０）に、
上記指示された第１の表示内容を上記選択された第２の表示内容及び第３の表示内容と同様に上記異なる態様で上記表示部（２２）に表示させる機能を与えることを特徴とする請求項１１に記載の表示システム。
【請求項１３】
表（６０）を表示するコンピュータシステム（１）であって、
上記表（６０）は、
第１の表示内容を含む第１のブロックを縦方向に複数配置した第１のコラムと、
第２の表示内容を含む第２のブロックを縦方向に複数配置した第２のコラムと、
第３の表示内容を含む第３のブロックを縦方向に複数配置した第３のコラムを含み、
上記コンピュータシステム（１）は、
上記表（６０）を構成するデータ（７１，７２，７３，７４）と、上記複数の第１のブロックのそれぞれに対応する第２のブロックと第３のブロックを関連付けるプログラム（７５）を含むファイル（４３）を記憶する記憶部（２７）と、
上記記憶部（２７）に記憶されたファイル（４３）の表（６０）を表示する表示部（２２）と、
上記表示部（２２）に表示された表（６０）に含まれる任意の第１の表示内容を指示可能な指示部（２５）を備えたコンピュータ（２０）を有し、
上記プログラム（７５）は、上記コンピュータ（２０）に、
上記データ（７１〜７４）に基づいて上記表示部（２２）に上記表（６０）を表示させる機能（＃３３）と、
上記指示部（２５）で指示された第１のブロック（Ｙ１〜Ｙ７）を認識する機能（＃３４）と、
上記複数の第２のブロックと上記複数の第３のブロックの中から上記認識された第１のブロックに関連する第２のブロックと第３のブロックを選択する機能（＃１２）と、
上記表示部（２２）に表示された表（６０）の中で、上記選択された第２のブロックと第３のブロックの表示を、選択されていない第２のブロックおよび第３のブロックと異なる態様で上記表示部に表示させる機能（＃１３）とを与えることを特徴とする表の表示システム。
【請求項１４】
上記プログラム（７５）は、上記コンピュータ（２０）に、
上記指示された第１のブロックを上記選択された第２のブロック及び第３のブロックと同様に上記異なる態様で上記表示部（２２）に表示させる機能を与えることを特徴とする請求項１３に記載の表示システム。
【請求項１５】
コンピュータ（２０）に表（６０）を表示させるファイル（４３）であって、
上記表（６０）は、
第１の表示内容を含む第１のブロックを縦方向に複数配置した第１のコラムと、
第２の表示内容を含む第２のブロックを縦方向に複数配置した第２のコラムと、
第３の表示内容を含む第２のブロックを縦方向に複数配置した第３のコラムを含み、
上記ファイル（４３）は、
上記表（６０）を構成するデータ（７１，７２，７３，７４）と、上記複数の第１のブロックのそれぞれに対応する第２のブロックと第３のブロックを関連付けるプログラム（７５）を含み、
上記プログラム（７５）は、コンピュータ（２０）に、
上記データ（７１〜７４）に基づいて表示部（２２）に上記表（６０）を表示させる機能（＃３３）と、
指示部（２５）で指示された第１のブロック（Ｙ１〜Ｙ７）を認識する機能（＃３４）と、
上記複数の第２のブロックと上記複数の第３のブロックの中から上記認識された第１のブロックに関連する第２のブロックと第３のブロックを選択する機能（＃１２）と、
上記表示部（２２）に表示された表（６０）の中で、上記選択された第２のブロックと第３のブロックの表示を、選択されていない第２のブロックおよび第３のブロックと異なる態様で上記表示部に表示させる機能（＃１３）とを与えることを特徴とする表の表示ファイル。
【請求項１６】
上記プログラム（７５）は、上記コンピュータ（２０）に、
上記指示された第１のブロックを上記選択された第２のブロック及び第３のブロックと同様に上記異なる態様で上記表示部（２２）に表示させる機能を与えることを特徴とする請求項１５に記載の表の表示システム。
【発明の詳細な説明】
【技術分野】
【０００１】
本発明は、例えばインターネット等の公衆回線及び専用回線を通じて農薬メーカ又は農薬関係者からユーザ等に提供されている農薬適用表をユーザのコンピュータ上で表示させる表示システム、表示方法および表示ファイルに関する。
【背景技術】
【０００２】
農薬（殺虫剤、除草剤、殺菌剤等）の適正な使用を図るため、農薬メーカから提供される農薬の容器には、作物名・適用対象（適用害虫名、適用雑草名、適用病害名）・使用条件（使用量又は使用液量、使用時期、使用回数、使用方法、総使用回数、適用土壌、適用地帯、希釈倍率又は希釈倍量、散布量など）を細かく記載した適用表ラベル（図１９〜図２１参照）が貼り付けられている。加えて、一部の農薬メーカは、自社の提供する農薬の適用表をインターネット上で公開し、必要に応じて新たな作物名を追加するなどの更新を行っている。このようなインターネット上で適用表を公表することの意義は、既存ユーザ、潜在的ユーザ、または広く一般に対して商品情報を提供するという観点から重要である。また、農薬包装容器の大きさから適用表の表示面積には制限があるために印刷された活字が小さくなり、そのために読み難く、結果的に農薬の誤用を招くという危険を回避する意味からも、またより明確に適用情報を伝える手段が望まれているという観点からも、重要である。
【０００３】
しかし、現在用いられている適用表は、作物名を記載した枠の縦方向の大きさと、その右側に配置されている適用対象や使用条件を記載した枠の縦方向の大きさが異なるため、必ずしもユーザが見易いものではない。
【発明の開示】
【発明が解決しようとする課題】
【０００４】
このような問題を解消するため、本願発明は、農薬メーカ又は農薬関係者（例えば、農薬流通業者）からインターネット等の通信網を介してユーザに提供される農薬の適用表を、ユーザが見易い状態で表示するシステム、方法、プログラムファイルを提供し、正しい農薬使用に寄与することを目的とする。また、本発明は、農薬適用表と同様に、インターネット等の通信網を介して提供される各種表を、読み易く、理解し易い状態で表示するシステム、方法、プログラムファイルを提供することを目的とする。
【課題を解決するための手段】
【０００５】
具体的に、本発明に係る農薬適用表（表）の表示方法は、表示部に農薬適用表（表）を表示する工程と、上記表示部に表示された農薬適用表（表）に含まれる作物名（第１の表示内容）を指示する工程と、上記農薬適用表（表）の作物名（第１の表示内容）が指示されたとき、上記農薬適用表（表）に含まれた、上記作物名（第１の表示内容）に対応する適用対象（第２の表示内容）と使用条件（第３の表示内容）を選択する工程と、選択された適用対象（第２の表示内容）と使用条件（第３の表示内容）を、またはそれらに加えて指示され作物名（第１の表示内容）を、上記農薬適用表（表）の中で選択されていない適用対象（第２の表示内容）及び使用条件（第３の表示内容）とは異なる態様で上記表示部に表示するものである。
【０００６】
この発明において、表示部は、例えばインターネット等の通信網を介して農薬メーカ又は農薬関係者のコンピュータと通信可能なユーザのコンピュータに接続された表示装置が用いられる。表示部に表示された農薬適用表（表）の作物名（第１の表示内容）を指示する方法は、例えば表示装置に表示されているポインタをマウス等で移動することにより、好適に行われる。作物名（第１の表示内容）に対応する適用対象（第２の表示内容）は、例えば農薬の種類（殺虫剤、除草剤、殺菌剤等）によって異なり、殺虫剤の場合は適用害虫名、除草剤の場合は雑草名、殺菌剤の場合は病害名である。使用条件も農薬の種類によって異なり、例えば、殺虫剤の場合は使用時期・使用量・希釈倍率・散布量・使用回数・使用方法が含まれ、除草剤の場合は使用時期・適用土壌・単位面積当たりの薬量及び希釈水量・適用地帯・使用方法が含まれ、殺菌剤の場合は希釈倍率・使用時期・使用回数・使用方法・総使用回数などが含まれる。ただし、適用対象や使用条件は以上に列挙したものに限定されるものでなく、個々の農薬に応じて多少異なる。指示された作物名（第１の表示内容）に対応する適用対象（第２の表示内容）と使用条件（第３の表示内容）又はそれらに加えて指示された作物名（第１の表示内容）を選択されていない作物名（第１の表示内容）に対応する適用対象（第２の表示内容）と使用条件（第３の表示内容）と異なる態様で表示する方法としては種々考えられ、例えば、それらの適用対象（第２の表示内容）や使用条件（第３の表示内容）などを含む枠内の背景色を選択されていない適用対象（第２の表示内容）や使用条件（第３の表示内容）を含む枠内の背景色と異なる色で表示する方法や、選択された適用対象（第２の表示内容）や使用条件（第３の表示内容）などの活字を異なるフォント（異なる色、異なる字体、異なる太さ）で表示する方法が挙げられるが、これらに限るものでない。
【０００７】
本発明の他の形態は、作物名（第１の表示内容）を含む作物名ブロック（第１のブロック）を縦方向に複数配列した第１のコラムと、上記作物名（第１の表示内容）に対応した農薬の適用対象名（第２の表示内容）を含む適用対象名ブロック（第２のブロック）を縦方向に複数配列した第２のコラムと、上記作物名（第１の表示内容）と適用対象名（第２の表示内容）に対応した農薬の使用条件（第３の表示内容）を含む使用条件ブロック（第３のブロック）を縦方向に複数配列した第３のコラムとを備えた農薬適用表（表）を表示するシステム（１）に関する。このシステム（１）は、通信網（３０）を介して通信可能な第１のコンピュータ（１０）と第２のコンピュータ（２０）を含む。そして、第１のコンピュータ（１０）は農薬適用表（表）（６０）を含むファイル（４３）を記憶する第１の記憶部（１７）と、第２のコンピュータ（２０）から通信網（３０）を介して受信した要求（４２）に基づいてファイル（４３）を第２のコンピュータ（２０）に送信する第１の制御部（１６）を備えている。一方、第２のコンピュータ（２０）は第１のコンピュータ（１０）から受信したファイル（４３）を記憶する第２の記憶部（２７）と、第２の記憶部（２７）に記憶されたファイル（４３）に含まれる農薬適用表（表）（６０）を表示する表示部（２２）と、表示部（２２）に表示された農薬適用表（表）（６０）に含まれる任意の作物名ブロック（第１の表示内容）を指示可能な指示部（２５）を備えている。ここで、ファイル（４３）は、第２のコンピュータ（２０）に、表示部（２２）に農薬適用表（表）（６０）を表示させる機能（＃３３）と、指示部（２５）で指示された作物名ブロック（第１のブロック）（Ｙ１〜Ｙ７）を認識する機能（＃３４）と、複数の適用対象名ブロック（第２のブロック）と複数の使用条件ブロック（第３のブロック）の中から認識された作物名ブロック（第１のブロック）に関連する適用対象名ブロック（第２のブロック）と使用条件ブロック（第３のブロック）を選択する機能（＃１２）と、表示部（２２）に表示された農薬適用表（表）（６０）の中で、選択された適用対象名ブロック（第２のブロック）と使用条件ブロック（第３のブロック）又はそれらに加えて指示された作物名ブロック（第１のブロック）の表示を、選択されていない適用対象名ブロック（第２のブロック）および使用条件ブロック（第３のブロック）と異なる態様で表示部に表示させる機能（＃１３）とを与えるもので、一般的にはコンピュータプログラムとして具体化される。
【０００８】
本発明の別の形態は、農薬適用表（表）（６０）を表示するコンピュータシステム（１）に関する。ここで、農薬適用表（表）（６０）は、作物名（第１の表示内容）を含む作物名ブロック（第１のブロック）を縦方向に複数配置した作物名コラム（第１のコラム）と、適用対象名（第２の表示内容）を含む適用対象名ブロック（第２のブロック）を縦方向に複数配置した適用対象名コラム（第２のコラム）と、農薬使用条件（第３の表示内容）を含む使用条件ブロック（第３のブロック）を縦方向に複数配置した使用条件コラム（第３のコラム）を有する。また、コンピュータシステム（１）は、農薬適用表（表）（６０）を構成するデータ（７１，７２，７３，７４）と、複数の作物名ブロック（第１のブロック）のそれぞれに対応する適用対象名ブロック（第２のブロック）と使用条件ブロック（第３のブロック）を関連付けるプログラム（７５）を含むファイル（４３）を記憶する記憶部（２７）と、記憶部（２７）に記憶されたファイル（４３）の農薬適用表（表）（６０）を表示する表示部（２２）と、表示部（２２）に表示された農薬適用表（表）（６０）に含まれる任意の作物名（第１の表示内容）を指示可能な指示部（２５）を備えたコンピュータ（２０）を有する。そして、プログラム（７５）は、コンピュータ（２０）に、データ（７１〜７４）に基づいて表示部（２２）に農薬適用表（表）（６０）を表示させる機能（＃３３）と、指示部（２５）で指示された作物名ブロック（第１のブロック）（Ｙ１〜Ｙ７）を認識する機能（＃３４）と、複数の適用対象名ブロック（第２のブロック）と複数の使用条件ブロック（第３のブロック）の中から認識された作物名ブロック（第１のブロック）に関連する適用対象名ブロック（第２のブロック）と使用条件ブロック（第３のブロック）を選択する機能（＃１２）と、表示部（２２）に表示された農薬適用表（表）（６０）の中で、選択された適用対象名ブロック（第２のブロック）と使用条件ブロック（第３のブロック）又はそれらに加えて指示された作物名ブロック（第１のブロック）の表示を、選択されていない適用対象名ブロック（第２のブロック）および使用条件ブロック（第３のブロック）と異なる態様で表示部に表示させる機能（＃１３）とを与える。
【０００９】
本発明の別の形態は、コンピュータ（２０）に農薬適用表（表）（６０）を表示させるファイル（４３）に関する。ここで、農薬適用表（表）（６０）は、作物名（第１の表示内容）を含む作物名ブロック（第１のブロック）を縦方向に複数配置した作物名コラム（第１のコラム）と、適用対象名（第２の表示内容）を含む適用対象名ブロック（第２のブロック）を縦方向に複数配置した適用対象名コラム（第１のコラム）と、農薬使用条件（第３の表示内容）を含む使用条件ブロック（第３のブロック）を縦方向に複数配置した使用条件コラム（第３のコラム）を含む。また、ファイル（４３）は、農薬適用表（表）（６０）を構成するデータ（７１，７２，７３，７４）と、複数の作物名ブロック（第１のブロック）のそれぞれに対応する適用対象名ブロック（第２のブロック）と使用条件ブロック（第３のブロック）を関連付けるプログラム（７５）を含む。そして、プログラム（７５）は、コンピュータ（２０）に、データ（７１〜７４）に基づいて表示部（２２）に農薬適用表（表）（６０）を表示させる機能（＃３３）と、指示部（２５）で指示された作物名ブロック（第１のブロック）（Ｙ１〜Ｙ７）を認識する機能（＃３４）と、複数の適用対象名ブロック（第２のブロック）と複数の使用条件ブロック（第３のブロック）の中から認識された作物名ブロック（第１のブロック）に関連する適用対象名ブロック（第２のブロック）と使用条件ブロック（第３のブロック）を選択する機能（＃１２）と、表示部（２２）に表示された農薬適用表（表）（６０）の中で、選択された適用対象名ブロック（第２のブロック）と使用条件ブロック（第３のブロック）又はそれらに加えて指示された作物名ブロック（第１のブロック）の表示を、選択されていない適用対象名ブロック（第２のブロック）および使用条件ブロック（第３のブロック）と異なる態様で上記表示部に表示させる機能（＃１３）とを与える。
【発明の効果】
【００１０】
このように構成された本発明の方法やシステム等によれば、指示された第１の表示内容（例えば、作物名）に対応して、選択された第２の表示内容（例えば、適用対象）と第３の表示内容（例えば、使用条件）又はそれらに加えて指示された第１の表示内容が、選択されていない第１の表示内容（作物名）に対応する第２及び第３の表示内容（適用条件、使用条件）から明確に区別された状態で表示される。したがって、本発明を例えば農薬適用表に適用すれば、その農薬適用表に記載されている農薬が個々の作物やその作物に対応した適用対象（害虫等）に対して適正な使用条件（使用量・使用時期・使用回数・使用方法・総使用回数）で使用される。
【発明を実施するための最良の形態】
【００１１】
（１）システム構成：
図１は、本発明に係るコンピュータシステムのハードウェア構成を示しており、このコンピュータシステム１は、第１のコンピュータ１０と、通信網３０を介して第１のコンピュータ１０と通信可能な複数の第２のコンピュータ２０で構成される。本実施の形態では、第１のコンピュータ１０は農薬メーカのＷＷＷサーバを想定し、第２のコンピュータ２０は農薬ユーザのパーソナルコンピュータ（クライアントマシン）を想定しているが、本発明の適用はそのような組み合わせに限るものでない。通信網３０はインターネットが好適に利用される。この場合、第１のコンピュータ１０、第２のコンピュータ２０とインターネットとの間には、通常インターネットサービスプロバイダ（ＩＳＰ）（図示せず）が介在する。ただし、通信網は、第１のコンピュータ１０と第２のコンピュータ２０を通信可能に接続するものであればよく、有線又は無線のいずれも利用可能である。
【００１２】
第１のコンピュータ１０と第２のコンピュータ２０は、通常のコンピュータと同様に、コンピュータ本体１１、２１、表示装置（表示部）１２、２２、入力装置１３、２３を有する。入力装置１３、２３は、キーボード１４、２４、マウス１５、２５、その他の公知の入力装置（例えば、他のポインティングデバイス）が利用できる。プリンタ（図示せず）などの印刷装置をコンピュータ本体１１、２１に接続し、表示装置１２、２２に表示されている表示内容を紙などの媒体に印刷することができる。
【００１３】
図２は、コンピュータ本体１１，１２に内蔵されているＣＰＵ（中央処理装置）の機能構成を表示した図である。図示するように、第１のコンピュータ１０は、制御部１６、記憶部１７、出力部１８、入力部１９を備えており、出力部１８に表示装置１２や印刷装置（図示せず）が接続され、入力部１９に入力装置１３（キーボード１４、マウス１５）が接続されている。第２のコンピュータ２０も、制御部２６、記憶部２７、出力部２８、入力部２９を備えており、出力部２８に表示装置２２や印刷装置（図示せず）が接続され、入力部２９に入力装置２３（キーボード２４、マウス２５）が接続されている。
【００１４】
第１のコンピュータ（ＷＷＷサーバ）１０は、通信網３０を介して第２のコンピュータ２０からアクセス可能に設計されており、第２のコンピュータ２０の入力装置２３を通じて入力されたリクエスト４０、４２に基づき、第１のコンピュータ１０の記憶部１７に記憶されている情報が通信網３０を介して第２のコンピュータ２０に送信されて第２のコンピュータ２０の記憶部２７に記憶されるとともに出力部２８を通じて表示装置２２に表示されるように構成されている。第１のコンピュータ１０の記憶部１７に記憶されている情報のうち、第２のコンピュータ２０に送信される情報には、第１のコンピュータ１０が設置されている農薬メーカのウェブページ（ホームページ）画面用のファイル４１が含まれる。含まれる。例えば、第２のコンピュータ２０から通信網３０を介して第１のコンピュータ１０に信号（リクエスト）４０が送信されると、第１のコンピュータ１０は記憶部１７に記憶しているウェブページ画面用ファイル４１を送信する。第２のコンピュータ２０は、ファイル４１を受信すると、このファイル４１を記憶部２７に記憶するとともに、このファイル４１に基づいて表示装置２２に図３ａのトップページ５０を表示する。本実施形態において、トップページ５０は、製品情報５１の表示欄を有する。次に、第２のコンピュータ２０のマウス２５又はその他のポインティングデバイスを用いて表示装置２２上に表示されているポインタ５２を製品情報表示欄に移動させると、図３ｂに示すように、製品情報５１の欄に具体的な製品の種類（殺虫剤、殺菌剤、水稲用除草剤、その他の除草剤）の欄が表示される。次に、ポインタ５２を製品表示欄に移動すると、新たなページ５３が表示され、図３ｃに示す具体的な製品名（例えば、○○○、○△△、○×△、×××）のリストとそれに付随する情報（適用作物、適用害虫、概要）が表示される。続いて、ポインタ５２を具体的な製品名（例えば、○○○）の欄に移動してマウスをクリックすると、第２のコンピュータ２０から第１のコンピュータ１０に信号（リクエスト）４２が送信される。信号４２を受信した第１のコンピュータ１０は、第１の記憶部１７に記憶している、マウスで指定された殺虫剤の農薬適用表ファイル４３を第２のコンピュータ２０に送信する。農薬適用表ファイル４３を受信した第２のコンピュータ２０は、この農薬適用表ファイル４３を記憶部２７に記憶するとともに、該農薬適用表ファイル４３に基づいて図４ａに示す農薬適用表を表示装置２２に表示する。
【００１５】
（２）農薬適用表：
図４ａに示す農薬適用表６０は、殺虫剤の農薬適用表の一例であり、最上段（第０行：ｉ＝０）には横一列に「作物名」、「適用害虫名」（適用対象名）、「使用量」、「使用時期」、「本剤の使用回数」、「使用方法」、「ピメトロジンを含む農薬の総使用回数」の記載欄（コラム名ブロック）が設けられている。作物名のコラムブロックを含むコラム（作物名コラム、第１のコラム）には、複数の作物名（第１の表示内容）（例えば、「稲（箱育苗）」、「きゅうり」、「ズッキーニ」、「すいか」、「トマト/ミニトマト」、「なす」、「ピーマン/とうがらし類」）が縦一列に配列されている。各作物名が記載されている四角の領域を「作物名ブロック（第１のブロック）」という。適用害虫名のコラムブロックを含むコラム（適用対象名コラム、第２のコラム）には、作物名コラムに記載されたそれぞれの作物に対応した害虫名（第２の表示内容）（例えば、「ウンカ類」、「タバココナジラミ/アブラムシ類」、「アブラムシ類」、「アブラムシ類/オンシツコナジラミ/タバココナジラミ」、「アブラムシ類/オンシツコナジラミ」、「アブラムシ類」）が縦一列に配置されている。害虫名が記載されている四角の領域を「適用対象名ブロック（第２のブロック）」という。なお、「タバココナジラミ/アブラムシ類」のように複数の害虫名が記載されている場合でも、これら複数の害虫名を含む一つの領域を一つの「適用対象名ブロック」とする。
【００１６】
図面から明らかなように、各作物名ブロックの縦方向の長さとその作物名ブロックの右側に記載された適用対象名ブロックの縦方向の長さは必ずしも一致しない。例えば、作物名ブロック「稲」の縦方向の長さと位置は、稲の対象害虫である「ウンカ類」の適用対象名ブロックの縦方向の長さと位置に一致しているが、作物名ブロック「きゅうり」の縦方向の長さは、きゅうりの対象害虫である「タバココナジラミ/アブラムシ類」の縦方向の長さよりも長く、そのために「タバココナジラミ/アブラムシ類」のすぐ下に配置されている適用対象名ブロック「アブラムシ類」が作物名ブロック「きゅうり」の縦方向に一部重なっている。これは、成長の過程で作物に害を及ぼす害虫が異なり、そのために、例えば「きゅうり」の場合、「育苗期後半」における害虫が「タバココナジラミ/アブラムシ類」であるのに対し、「定植時」における害虫が「アブラムシ類」である等の理由からである。
【００１７】
適用対象名の右側に記載されている５つの「使用量」、「使用時期」、「本剤の使用回数」、「使用方法」、「ピメトロジンを含む農薬の総使用回数」のコラム（第３のコラム）は、農薬の使用条件をそれぞれ記載したもので、以下の説明では、これら複数のコラムのうちの特定のコラムを指して説明する場合には「使用条件（使用量）コラム」、「使用条件（使用時期）コラム」、「使用条件（使用回数）コラム」「使用条件（総使用回数）コラム」といい、特定のコラムを指さない場合には単に「使用条件コラム」という。
【００１８】
これら複数の使用条件コラムのそれぞれには、複数の使用条件（第３の表示内容）が縦一列に配置されている。例えば、使用条件（使用時期）コラムには、上から「移植/３日前〜移植当日」、「育苗期後半」、「定植時」、「育苗期後半」、「定植時」、「育苗期後半」のブロックが配置されている。以下、これらの各ブロックを「使用条件（使用時期）ブロック」という。また、以下、同一の使用時期が複数のブロックに記載されている場合、それぞれのブロックを個別に「使用条件（使用時期）ブロック」という。使用条件（使用量）コラム、使用条件（使用回数）コラム、使用条件（総使用回数）コラムについても同様で、各コラムに含まれているそれぞれのブロックを使用条件（使用量）ブロック、使用条件（使用回数）ブロック、使用条件（総使用回数）ブロックという。ただし、以下の説明では、特定の使用条件コラムの使用条件ブロックを指して説明する場合には、「使用条件（使用量）ブロック」、「使用条件（使用時期）ブロック」、「使用条件（使用回数）ブロック」「使用条件（総使用回数）ブロック」というが、特定のコラムを指さない場合には単に「使用条件ブロック（第３のブロック）」という。
【００１９】
使用条件ブロックの縦方向の長さと位置は作物名ブロックのそれらと必ずしも一致せず、例えば「きゅうり」についてみると、「育苗期後半」の使用条件（使用時期）ブロックと「定植時」の使用条件（使用時期）ブロックが対応している。また、使用条件（使用回数）コラムは一つの使用条件（使用回数）ブロック「一回」しか含まれておらず、そのためにこの使用条件（使用回数）ブロックがすべての作物名ブロックに対応している。
【００２０】
図４ｂは、図４ａの農薬適用表６０に含まれている記述（文字情報）を記号化したもので、記号ＣＭ０〜ＣＭ６が作物名コラム、適用対象コラム、使用条件（使用量）コラム、使用条件（使用時期）コラム、使用条件（使用回数）コラム、使用条件（使用方法）コラム、使用条件（総使用回数）コラムを示す。また、各コラムの最上段に記載されている記号ｘ０〜ｘ６がコラム名（コラム名ブロック）を示し、コラム名の下に縦一列に配置されている記号Ｙ１〜Ｙ７、Ａ１〜Ａ６、Ｂ１〜Ｂ２、Ｃ１〜Ｃ６、Ｄ１、Ｅ１〜Ｅ６、Ｆ１〜Ｆ５が図４ａの対応する場所に記載されているブロックを示す。
【００２１】
農薬適用表は図５に示すスプレッドシート（例えば、マイクロソフト社のＥｘｃｅｌ）を用いて作成されている。本実施形態において、農薬適用表は２０行×７列のセル（ｉ，ｊ）〔ｉ＝０〜１９、ｊ＝０〜６〕で構成されており、以下に説明するように、図４ａ及び図４ｂに示すそれぞれのブロックの縦方向の長さは、それぞれに割り当てられたセル数によって決められている。図６を参照して具体的に説明すると、例えば図６と図４ａ及び図４ｂを対比すると明らかなように、作物名ブロックＹ１は記号ｙ１が付された４つのセル、作物名ブロックＹ２は記号ｙ２が付された３つのセル、ブロックＹ３は記号ｙ３が付された１つのセル、ブロックＹ４は記号ｙ４が付された３つのセル、ブロックＹ５は記号ｙ５が付された４つのセル、ブロックＹ６は記号ｙ６が付された２つのセル、ブロックＹ７は記号ｙ７が付された２つのセルで構成されている。適用対象名コラムの適用対象名ブロックＡ１〜Ａ６についてもそれぞれ縦方向の長さに応じた数のセル（記号ａ１〜ａ６で示されるセル）が割り当てられている。同様に、使用条件コラムの使用条件ブロックについてもそれぞれの縦方向の長さに応じた数のセル（記号ｂ１〜ｂ２、ｃ１〜ｃ６、ｄ１、ｅ１〜ｅ６、ｆ１〜ｆ５で示されるセル）が割り当てられている。以下、記号ｙ１〜ｙ７、ａ１〜ａ６、ｂ１〜ｂ２、ｃ１〜ｃ６、ｄ１、ｅ１〜ｅ６、ｆ１〜ｆ５を「セルデータ」という。
【００２２】
図６のシートを行ｉごとに分解してみると、それぞれの行は複数のセルデータで構成されている。例えば、行（ｉ＝１）はデータセット（ｙ１，ａ１，ｂ１，ｃ１，ｄ１，ｅ１，ｆ１）で構成され、・・・、行（ｉ＝８）はデータセット（ｙ３，ａ３，ｂ２，ｃ３，ｄ１，ｅ３，ｆ３）で構成され、・・・、行（ｉ＝１９）はデータセット（ｙ７，ａ６，ｂ２，ｃ６，ｄ１，ｅ６，ｆ５）で構成されている。
【００２３】
図４ａ、４ｂに示すそれぞれのブロックには、ブロックの背景色に対応したカラーコードが与えられている。図７は各ブロックに付与されているカラーコードの一例を示し、この実施形態では最上段のコラム名ブロックｘ０〜ｘ６、最左欄の作物名ブロックＹ１〜Ｙ７にカラーコードｇ（緑）が付与され、その他のブロックＡ１〜Ａ６、Ｂ１〜Ｂ２、Ｃ１〜Ｃ６、Ｄ１、Ｅ１〜Ｅ６、Ｆ１〜Ｆ５にカラーコードｗ（白）が付与されている。これらブロックＡ１〜Ａ６、Ｂ１〜Ｂ２、Ｃ１〜Ｃ６、Ｄ１、Ｅ１〜Ｅ６、Ｆ１〜Ｆ５のカラーコードは、後に説明するロジックに基づいて適宜変更される。
【００２４】
カラーコードの変更は図８のロジック（プログラム）に基づいて行われる。このロジックによれば、カラーコードの変更は、作物名の指定（具体的には、表示装置２２に表示されているポインタ５２を作物名ブロック上に移動させること）に基づいて行われる。例えば、図９に示すように作物名ブロックＹ２がポインタ５２で指定された場合（＃１０）、図１０に示すように、作物名ブロックＹ２を構成しているセルデータｙ２を含む、行ｉ＝５〜７の３つのデータセット（ｙ２，ａ２，ｂ２，ｃ２，ｄ１，ｅ２，ｆ２）、（ｙ２，ａ２，ｂ２，ｃ２，ｄ１，ｅ２，ｆ２）、（ｙ２，ａ３，ｂ２，ｃ３，ｄ１，ｅ３，ｆ２）が選択される（＃１１）。次に、作物名コラムを除く他のコラムについて、選択された３つのデータセットに含まれるセルデータと同一のセルデータを含むブロックが選択される（＃１２）。具体的に、適用対象名コラムｘ１に関して、選択された３つのデータセットはセルデータａ２，ａ３を含むため、これらのセルデータａ２，ａ３を含む適用対象名ブロックＡ２，Ａ３が選択される。同様にして、使用条件（使用量）コラムについて使用条件（使用量）ブロックＢ２、使用条件（使用時期）コラムについて使用条件（使用時期）ブロックＣ２とＣ３、使用条件（使用回数）コラムについて使用条件（使用回数）ブロックＤ１、使用条件（使用方法）コラムについて使用条件（使用方法）ブロックＥ２とＥ３、使用条件（総使用回数）コラムについて使用条件（総使用回数）ブロックＦ２が選択される〔図１１参照〕。次に、選択されたブロックＡ２，Ａ３，Ｂ２，Ｃ２，Ｃ３，Ｄ１，Ｅ２，Ｅ３，Ｆ２のカラーコードが「ｗ」から「Ｙ」（黄色）に変更される（＃１３）〔図１２参照〕。その結果、図１３に示すように、表示装置２２に表示された農薬適用表６０において、選択されたブロックＡ２，Ａ３，Ｂ２，Ｃ２，Ｃ３，Ｄ１，Ｅ２，Ｅ３，Ｆ２の背景色が黄色に変更されて他のブロックの背景色（白色）から色分けされた状態で表示される。
【００２５】
（３）色分け表示：
上述した農薬適用表の色分け表示に関連する、第１のコンピュータ１０と第２のコンピュータ２０の動作を説明する。図１３に示すように、第１のコンピュータ１０の制御部１６は、第２のコンピュータ２０から農薬適用表ファイルの送信指令（リクエスト）を受信したか否か判断する（＃２１）。第１のコンピュータ１０が農薬適用表送信指令を受信すると、制御部１６は記憶部１７に記憶されている農薬適用表ファイル４３を、送信指令を発信した第２のコンピュータ２０に送信する（＃２２）。
【００２６】
農薬適用表ファイル４３は、図１５に示すように、図４ａに示す農薬適用表６０のフレームを構成する罫線データ７１、ブロックの中に記載されている文字データ７２、図６のセルデータ７３と、ブロックのカラーコードを含む図７のカラーデータ７４と、図８のカラーコード変更プログラム７５で構成されている。
【００２７】
第２のコンピュータ２０の制御部２６は、農薬適用表ファイル４３を受信したか否か判断する（＃３１）。農薬適用表ファイル４３を受信すると、第２のコンピュータ２０は、受信した農薬適用表ファイル４３を記憶部２７に記憶する（＃３２）。次に、第２のコンピュータ２０は、受信した農薬適用表ファイル４３の罫線データ、文字データ、セルデータ、カラーデータをもとに、図４ａに示す農薬適用表６０を表示装置２２に表示する（＃３３）。このとき、表示装置２２に表示される農薬適用表６０の各ブロックＡ１〜Ａ６、Ｂ１〜Ｂ２、Ｃ１〜Ｃ６、Ｄ１、Ｅ１〜Ｅ６、Ｆ１〜Ｆ５にはカラーコードｗ（白色）が与えられており、表示装置２２に表示された農薬適用表６０の対応ブロックの背景色は白色に設定されている。次に、第２のコンピュータ２０の表示装置２２に表示された農薬適用表６０の作物名ブロックＡ１〜Ａ６のいずれかの領域がポインタ５２で指示されたことを制御部２６が認識すると（＃３４）、カラーコード変更プログラム７５をスタートし、図８を参照して説明したカラーコード変更ロジックに従って、対応するブロックの背景色を白から黄色に変更する（＃３５）。この状態からポインタ５２が移動した場合、ポインタ５２が作物名ブロックＡ１〜Ａ６以外の領域が指示されたか否か判断する（＃３６）。判断の結果、同一作物名ブロックが指示されている場合、カラーコード変更処理を維持する（＃３５）。一方、別の作物名ブロックが指示された場合、上述と同様に、カラーコード変更ロジックに基づいて、指示された作物名ブロックに対応するブロックの背景色を変更する（＃３５）。また、ポインタ５２が作物名ブロック以外の領域に移動した場合、カラーコード変更ロジックを終了し（＃３７）、カラーコードを初期状態に設定して図４ａの表示状態に復帰する。
【００２８】
背景色を変更した後の農薬適用表が図１３に示されている。この図から明らかなように、作物名に応じて背景色が変更された農薬適用表によれば、その作物に対応する農薬適用対象名（害虫名）、農薬の使用量・使用時期・使用回数・使用方法・総使用回数が、他の作物に対する農薬適用対象名や農薬の使用時期と明確に区別された状態で表示される。従って、農薬適用表に係る農薬が個々の作物やその作物に対応した適用対象（害虫）に対して適正な使用条件（使用量・使用時期・使用回数・使用方法・総使用回数）で使用されることを促進する。
【００２９】
また、上述のように、農薬適用表６０は、多数のセルデータの集合によって構成されているので、第１のコンピュータ１０において、農薬適用表の更新が容易に行える。例えば、図４ａの農薬適用表に新たな作物名●●●を追加して図１７の農薬適用表を作成する場合（網掛け部分が追加部分）、図１８に示すように、第４行（ｉ＝４）と第５行（ｉ＝５）の間に新たなデータセット（ｙ８，ａ２，ｂ１，ｃ１，ｄ１，ｅ１，ｆ１）を追加する。これにより、新たな作物名が追加されるとともに、新たに追加されたセル（ａ２，ｂ１，ｃ１，ｄ１，ｅ１，ｆ１）は、それに付与されたセルデータと同一のセルデータを有する上又は下のブロックに組み込まれるとともに、新たなセルが追加されたブロックの領域が拡大される。また、新たに追加されたセルのセルデータと同一のセルデータを有するブロックが当該セルの上又は下に無い場合、追加されたセルは一つの独立したブロックとして表示される。
【００３０】
（４）他の実施形態：
以上、殺虫剤の農薬適用表を例にとって説明したが、図１９に示す除草剤、図２０に示す殺虫剤、図２１に示す殺菌剤の農薬適用表についても、上述した殺虫剤の農薬適用表と同様に、クライアントマシン（第２のコンピュータ２０）の表示画面上で色分け表示することができる。なお、図１９の農薬適用表（除草剤）の場合、適用雑草名が適用対象、使用時期・適用土壌・１０ａ当たりの薬量及び希釈水量・使用方法・適用地帯が使用条件に相当する。同様に、図２０の農薬適用表の場合、希釈倍率・散布量も使用条件に含まれる。また、図２１の農薬適用表（殺菌剤）の場合、適用病害名が適用対象、希釈倍率・使用液量・使用時期・使用回数・使用方法・フルジオキソニルを含む農薬の総使用回数が使用条件に相当する。
【００３１】
また、上述の実施形態では、指示された作物名に対応する適用対象や使用条件を含むブロックの背景色を、選択されていない適用対象や使用条件を含むブロックの背景色と異なる色で表示したが、表示態様はこれに限るものでなく、農薬適用表の中で選択された作物名に対応する適用対象と使用条件が他のものと異なる態様で表示されていればよい。例えば選択された適用対象と使用条件の活字を選択されていないものとは異なるフォント（異なる色、異なる字体、異なる太さ、異なるサイズ）で表示してもよいし、選択された適用対象と使用条件の枠又は活字若しくは両方を点滅してもよい。
【００３２】
以上、本発明を農薬適用表に適用した実施形態を説明したが、本発明は上述した農薬適用表と同様の表示形態を採用した他分野の表にも適用可能であり、その場合、上述の農薬適用表に記載されている「作物名（第１の表示内容）」、「適用対象（第２の表示内容）」、「適用条件（第３の表示内容）」はそれぞれ対応した表現を採用する。
【００３３】
また、以上の説明では、指示された作物名（第１のブロック、第１の表示内容）に対応して選択された適用対象（第２のブロック、第２の表示内容）と使用条件（第３のブロック、第３の表示内容）を、選択されていない適用対象や使用条件と異なる態様で表示するものとしたが、指示された作物名を選択された適用対象及び使用条件と同様に上記異なる態様で表示してもよい。
【図面の簡単な説明】
【００３４】
【図１】本発明に係るコンピュータシステムの構成を示す図。
【図２】図１に示すコンピュータの機能構成を示す図。
【図３ａ】表示装置に表示されるウェブページ（トップページ）を示す図。
【図３ｂ】図３ａのトップページの製品情報欄をポインタで指示したとき、表示装置に表示されるウェブページを示す図。
【図３ｃ】図３ｂの殺虫剤欄をポインタで指示したとき、表示装置に表示されるウェブページを示す図。
【図４ａ】殺虫剤の農薬適用表を示す図。
【図４ｂ】図４ａの農薬適用表に含まれる各ブロック内の表示を記号で表した図。
【図５】農薬適用表を作成するスプレッドシートを示す図。
【図６】図５のスプレッドシートの各セルにセルコードを記載した図。
【図７】図４ａの農薬適用表の各ブロックに付与されているカラーコードを示す図。
【図８】カラーコード変更ロジック（プログラム）のフローチャート。
【図９】農薬適用表の作物名ブロックがポインタで指示された状態を示す図。
【図１０】カラーコード変更ロジックを説明する図。
【図１１】図１０と共にカラーコード変更ロジックを説明する図。
【図１２】カラーコード変更ロジックに基づいて変更されたカラーコードを示す図。
【図１３】指示された作物に対応する害虫名等が色分けされた農薬適用表を示す図。
【図１４】第１のコンピュータ（ＷＷＷサーバ）の処理を示すフローチャート。
【図１５】農薬適用表に含まれるデータ等を示す図。
【図１６】第２のコンピュータ（クライアントマシン）の処理を示す図。
【図１７】更新された農薬適用表を示す図。
【図１８】農薬適用表の更新時に追加されたセルデータを含む図。
【図１９】除草剤の農薬適用表の一例を示す図。
【図２０】他の殺虫剤の農薬適用表の一例を示す図。
【図２１】殺菌剤の農薬適用表の一例を示す図。
【符号の説明】
【００３５】
１：コンピュータシステム
１０：第１のコンピュータ
１１：コンピュータ本体
１２：表示装置
１３：入力装置
１４：キーボード
１５：マウス
１６：制御部
１７：記憶部
１８：出力部
１９：入力部
２０：第２のコンピュータ
２１：コンピュータ本体
２２：表示装置
２３：入力装置
２４：キーボード
２５：マウス
１６：制御部
１７：記憶部
１８：出力部
１９：入力部
３０：通信網
４０：リクエスト
４１：ウェブページ画面用ファイル
４２：リクエスト
４３：農薬適用表ファイル
５０：トップページ
５１：製品情報
５２：ポインタ
６０：農薬適用表
７１：罫線データ
７２：文字データ
７３：セルデータ
７４：カラーデータ
７５：プログラム
【図１】
2005258779.tif 000003
【図２】
2005258779.tif 000004
【図３ａ】
2005258779.tif 000005
【図３ｂ】
2005258779.tif 000006
【図３ｃ】
2005258779.tif 000007
【図４ａ】
2005258779.tif 000008
【図４ｂ】
2005258779.tif 000009
【図５】
2005258779.tif 000010
【図６】
2005258779.tif 000011
【図７】
2005258779.tif 000012
【図８】
2005258779.tif 000013
【図９】
2005258779.tif 000014
【図１０】
2005258779.tif 000015
【図１１】
2005258779.tif 000016
【図１２】
2005258779.tif 000017
【図１３】
2005258779.tif 000018
【図１４】
2005258779.tif 000019
【図１５】
2005258779.tif 000020
【図１６】
2005258779.tif 000021
【図１７】
2005258779.tif 000022
【図１８】
2005258779.tif 000023
【図１９】
2005258779.tif 000024
【図２０】
2005258779.tif 000025
【図２１】
2005258779.tif 000026